(57)【要約】【課題】移動ロボットシステムにおいて、作業者の作業を支援するとともに作業のチェック機能と巡回スケジュール管理を実現し巡回作業者の本来業務への専念を可能とする。【解決手段】移動ロボットシステム１０は、処置対象物の位置データＤＢ１と属性データＤＢ２が収納されたデータベース１と、外部から入力された属性データを基にデータベース１を検索してこの属性データを持つ処置対象物の位置データを抽出する位置データ抽出手段２と、抽出した位置データに基づいて処置対象物までの巡回経路を生成する経路生成手段３と、経路生成手段により生成した巡回経路に沿って移動ロボットが処置対象物まで自律走行する走行手段４とを備える。さらにトリガ手段５、巡回時刻計算手段８、物品データ提示手段６，物品提示手段７、物品搬送手段４１等を備え、移動ロボットが巡回作業者を支援する。【選択図】図２
2005288628.tif 000002
【特許請求の範囲】
【請求項１】
自律走行する移動ロボットを含む移動ロボットシステムにおいて、
処置対象物の位置データと属性データが収納されたデータベースと、
外部から入力された属性データを基に前記データベースを検索してこの属性データを持つ処置対象物の位置データを抽出する位置データ抽出手段と、
前記により抽出した位置データに基づいて処置対象物までの巡回経路を生成する経路生成手段と、
前記経路生成手段により生成した巡回経路に沿って前記移動ロボットが処置対象物まで自律走行する走行手段と、を備えたことを特徴とする移動ロボットシステム。
【請求項２】
前記移動ロボットは、物品搬送手段を備えることを特徴とする請求項１に記載の移動ロボットシステム。
【請求項３】
前記移動ロボットは、自律走行して目的位置に達して停止した後、自律走行を開始するためのトリガ手段を備えることを特徴とする請求項１又は請求項２に記載の移動ロボットシステム。
【請求項４】
前記移動ロボットは、自律走行して目的位置に達して停止した後、所定時間経過後に自律走行を開始することを特徴とする請求項１又は請求項２に記載の移動ロボットシステム。
【請求項５】
前記トリガ手段は、停止後の経過時間を計測する時間計測手段を有し、前記トリガ手段はこの時間計測手段により計測した経過時間が前記データベースに登録された処置対象物に対応する位置における停止時間に達したとき走行開始信号を走行手段に送信し、
前記移動ロボットは、前記走行手段が走行開始信号を受信すると自律走行を開始することを特徴とする請求項３に記載の移動ロボットシステム。
【請求項６】
前記データベースは、処置対象物の属性データに関連する物品データをさらに有し、外部から入力された属性データを基に前記データベースを検索してこの属性データを持つ処置対象物に関連づけられた物品データを選択してこれを提示する物品データ提示手段を備えることを特徴とする請求項１乃至請求項５のいずれかに記載の移動ロボットシステム。
【請求項７】
前記移動ロボットは、前記巡回経路に沿って移動又は停止中に前記物品データに基づいて当面の処置対象物に関連する物品を提示又は取出し可能とする物品提示手段を備えていることを特徴とする請求項６に記載の移動ロボットシステム。
【請求項８】
前記属性データとしてデータベースに登録された処理作業見積時間及び巡回経路から求めた走行時間に基づいて処理対象物を巡回する時刻を見積もる巡回時刻計算手段と、
前記巡回時刻計算手段により見積もられた巡回時刻を巡回経路上の各地点における到達予測時刻として表示する巡回時刻表示手段と、を備えることを特徴とする請求項３又は請求項４に記載の移動ロボットシステム。
【請求項９】
前記属性データとしてデータベースに登録された処理作業見積時間及び巡回経路から求めた走行時間に基づいて処理対象物を巡回する時刻を見積もる巡回時刻計算手段と、
巡回予定時刻が実作業時間の遅れによって前記巡回時刻計算手段により見積もられた巡回時刻の設定条件から外れると予測される際に巡回経路を再生成する経路再生成手段と、を備えることを特徴とする請求項３又は請求項４に記載の移動ロボットシステム。
【発明の詳細な説明】
【技術分野】
【０００１】
本発明は、移動ロボットシステムに関し、特に病院などにおける巡回作業を支援する移動ロボットシステムに関する。
【背景技術】
【０００２】
従来から、空間的に分布した複数の対象物を巡回して各対象物に対して個別に物品の受け渡しなどの処置を行うロボットシステムが用いられている。例えば、病院内の臨床検査部門の各処理装置間において検体の搬送、受取り、及び引渡しを自動的に行う検体搬送車を用いた検体搬送システムが知られている（例えば、特許文献１参照）。この検体搬送車は、従来行われていたベルトコンベアによる検体搬送の問題点を解消すべく提案されたものであり、自由に経路を変更できる搬送路に沿って配設されたステーション（処理装置）をホストコンピュータによる搬送内容の指示により巡回して検体をステーションに搬送するものである。
【特許文献１】特開２００１−２７８４０９号公報
【発明の開示】
【発明が解決しようとする課題】
【０００３】
しかしながら、上述した検体搬送システムにおいて検体搬送車は、単独で巡回するものであり、安全衛生管理、搬送経路のレイアウト変更やシステム変更に対するフレキシビリティ、空間占有率などに関するベルトコンベアの問題点を解消したものに過ぎない。病院内で医師や看護士が医療行為を行う際に求められる移動ロボットシステムは、巡回作業を行う作業者と共に又は作業者と前後して各処置対象物間を自律的に巡回し、作業者を支援することができるような移動ロボットを備えるものである。
【０００４】
支援内容としては、病院業務において、例えば、医療ミスの防止、物品搬送などの煩雑な作業からの解放、臨機応変な巡回スケジュール及び巡回経路への対応と作業の効率化などである。看護士が検査用具を抱えて順番に病室を巡回して検温等の検査を行っているのが大方の現状であり、業務が過密になってくると検査内容の取り違えや、検査する対象人物の誤りといった医療ミスを引き起こす可能性が高くなる。そこで、巡回作業者を知的に支援して、過誤の発生を未然に抑え、作業者が本来の作業に集中できるように支援する移動ロボットシステムが求められている。
【０００５】
本発明は、上記課題を解消するものであって、煩雑な作業を代替するとともに作業のチェック機能を備え、巡回スケジュール管理を行い巡回作業者の本来業務への専念を支援する移動ロボットシステムを提供することを目的とする。
【課題を解決するための手段】
【０００６】
上記課題を達成するために、請求項１の発明は、自律走行する移動ロボットを含む移動ロボットシステムにおいて、処置対象物の位置データと属性データが収納されたデータベースと、外部から入力された属性データを基に前記データベースを検索してこの属性データを持つ処置対象物の位置データを抽出する位置データ抽出手段と、前記により抽出した位置データに基づいて処置対象物までの巡回経路を生成する経路生成手段と、前記経路生成手段により生成した巡回経路に沿って前記移動ロボットが処置対象物まで自律走行する走行手段と、を備えたものである。
【０００７】
請求項２の発明は、請求項１に記載の移動ロボットシステムにおいて、前記移動ロボットは、物品搬送手段を備えるものである。
【０００８】
請求項３の発明は、請求項１又は請求項２に記載の移動ロボットシステムにおいて、前記移動ロボットは、自律走行して目的位置に達して停止した後、自律走行を開始するためのトリガ手段を備えるものである。
【０００９】
請求項４の発明は、請求項１又は請求項２に記載の移動ロボットシステムにおいて、前記移動ロボットは、自律走行して目的位置に達して停止した後、所定時間経過後に自律走行を開始するものである。
【００１０】
請求項５の発明は、請求項３に記載の移動ロボットシステムにおいて、前記トリガ手段は、停止後の経過時間を計測する時間計測手段を有し、前記トリガ手段はこの時間計測手段により計測した経過時間が前記データベースに登録された処置対象物に対応する位置における停止時間に達したとき走行開始信号を走行手段に送信し、前記移動ロボットは、前記走行手段が走行開始信号を受信すると自律走行を開始するものである。
【００１１】
請求項６の発明は、請求項１乃至請求項５のいずれかに記載の移動ロボットシステムにおいて、前記データベースは、処置対象物の属性データに関連する物品データをさらに有し、外部から入力された属性データを基に前記データベースを検索してこの属性データを持つ処置対象物に関連づけられた物品データを選択してこれを提示する物品データ提示手段を備えるものである。
【００１２】
請求項７の発明は、請求項６に記載の移動ロボットシステムにおいて、前記移動ロボットは、前記巡回経路に沿って移動又は停止中に前記物品データに基づいて当面の処置対象物に関連する物品を提示又は取出し可能とする物品提示手段を備えているものである。
【００１３】
請求項８の発明は、請求項３又は請求項４に記載の移動ロボットシステムにおいて、前記属性データとしてデータベースに登録された処理作業見積時間及び巡回経路から求めた走行時間に基づいて処理対象物を巡回する時刻を見積もる巡回時刻計算手段と、前記巡回時刻計算手段により見積もられた巡回時刻を巡回経路上の各地点における到達予測時刻として表示する巡回時刻表示手段と、を備えるものである。
【００１４】
請求項９の発明は、請求項３又は請求項４に記載の移動ロボットシステムにおいて、前記属性データとしてデータベースに登録された処理作業見積時間及び巡回経路から求めた走行時間に基づいて処理対象物を巡回する時刻を見積もる巡回時刻計算手段と、巡回予定時刻が実作業時間の遅れによって前記巡回時刻計算手段により見積もられた巡回時刻の設定条件から外れると予測される際に巡回経路を再生成する経路再生成手段と、を備えるものである。
【発明の効果】
【００１５】
請求項１の発明によれば、属性データを基に抽出した処置対象物の位置データに基づいて生成した巡回経路に沿って前記移動ロボットが処置対象物まで自律走行して巡回作業者を支援するので、例えば、病院業務において、巡回作業者（医師や看護士）が処置内容（検査、治療、介護などの医療業務）や処置対象物（施療対象者）の取り違えや誤りといった医療ミスを引き起こす可能性を防止できる。
【００１６】
請求項２の発明によれば、移動ロボットが物品搬送手段を備えており、巡回作業に必要な物品を搬送するので、巡回作業者が物品搬送などの煩雑な作業からの解放され、本来の業務に専念でき、作業内容の質の向上ができる。
【００１７】
請求項３乃至請求項５の発明によれば、移動ロボットが停止した後の自律走行再開が、適宜遅滞なく行われるので、処置対象物において時間計画の見通しが得やすくなる効果がある。
【００１８】
請求項６の発明によれば、入力された属性データを基に処置対象物の物品データを選択してこれを物品データ提示手段を用いて提示するので、作業者はその提示に従って必要な物品を準備することができ、必要な物品の抜け落ちや取り違いを防止できる。
【００１９】
請求項７の発明によれば、移動ロボットが物品提示手段により巡回中に当面の処置対象物に関連する物品を提示又は取出し可能とするので、作業者が必要物品を調べたり探したりする煩雑作業から解放され、作業効率と作業内容の向上が図られる。
【００２０】
請求項８又は請求項９の発明によれば、処理対象物を巡回する到達予測時刻を見積もって、予め処理対象物に知らせることができ、また、巡回経路を再生成して巡回のスケジュールを柔軟に変更することができ、巡回作業における最適作業を実現できる。
【発明を実施するための最良の形態】
【００２１】
以下、本発明の一実施形態に係る移動ロボットシステムについて、図面を参照して説明する。図１は、移動ロボットシステム１０の概要を示す。本移動ロボットシステム１０は、空間的に分布した複数の処置対象物を巡回して、各処置対象物に対して個別の処置を行う作業者を支援するシステムである。ここでは、入院患者を有する病院における巡回作業を例にとって説明する。この場合、処置対象物は入院患者であり、処置は患者に対する医療行為を含む作業全般であり、巡回作業者は医師や看護士である。本システム１０の最も基本的な構成は、図１に示すように、データベース１と、経路生成手段３と、移動ロボット４０とからなる。
【００２２】
データベース１は、処置対象物に関するデータ、つまり入院患者の電子カルテを含むデータである。データベース１には、その一例を電子カルテ情報ＴＢに示すように、各患者の番号、氏名データＤＢ０、各患者の部屋番号からなる位置データＤＢ１、及び性別、血液型、症状などからなる属性データＤＢ２が収納されている。
【００２３】
経路生成手段３は、各患者の位置までの巡回経路を形成する。巡回作業者が、作業内容に係る属性データを患者情報データベース（電子カルテ）より条件（治療内容）の適合する患者を抽出すると、経路生成手段３は、患者の位置データ（部屋番号データ）ＤＢ１で示された位置を巡回するのに最適な巡回経路を生成する。
【００２４】
移動ロボット４０は、各患者を巡回する作業者である医師や看護士を支援しながら、経路生成手段３によって生成された巡回経路に沿って自律走行するロボットである。病院では、通常、看護士が検査用具を抱えて順番に病室を回り検査を行っているが、業務が過密になってくると検査内容の取り違えや、検査する対象患者の誤りといった医療ミスを引き起こす可能性が高くなる。移動ロボット４０は、そういった問題を解消する。
【００２５】
次に、上記の基本構成に様々な機能を備えた移動ロボットシステム１０について、図２に示すシステムブロック図により説明する。この図は、各構成ブロックの主なつながりを示し、矢印は主たる信号の伝達方向を示すものであり、他のつながりや信号伝達方向を限定するものではない。以下の説明において、この図２と上述の図１が適宜参照される。この移動ロボットシステム１０は、処置対象物の位置データＤＢ１と属性データＤＢ２が収納されたデータベース１と、処置対象物の位置データを抽出する位置データ抽出手段２と、位置データ抽出手段２が抽出した位置データに基づいて処置対象物までの巡回経路を生成する経路生成手段３と、経路生成手段３により生成した巡回経路に沿って移動ロボットが処置対象物まで自律走行する走行手段４とを備えている。位置データ抽出手段２は、外部入力装置１１を有してこれにより入力された属性データを基にデータベース１を検索してこの属性データを持つ処置対象物の位置データを抽出する。
【００２６】
ここで、走行手段４は、図１に示した移動ロボット４０に備えられ、ロボット本体と一体となって移動し、移動ロボット４０が自律走行するために必要な駆動源や駆動輪などの手段を含む。従って、走行手段４には、巡回経路を記憶する地図記憶装置、巡回経路を参照して駆動輪を操舵・駆動・停止するコンピュータからなる制御装置、走行中の安全管理のための障害物センサ、巡回経路中の位置と現実空間の自己位置の整合を保つための自己位置認識機能などが含まれる。また、移動ロボット４０には、巡回作業の基地となる、例えばナースステーションなどとの無線通信のための装置を備えている。
【００２７】
また、データベース１は、電子カルテの場合、ナースステーションや計算機室などの所定の管理された部屋に置かれたコンピュータ（以下、サーバＰＣという）の記憶装置に記憶されており、適宜、データ更新入力装置１３により更新される。
【００２８】
位置データ抽出手段２と経路生成手段３は、通常１つの例えばパーソナルコンピュータ（以下、経路生成ＰＣという）を用いて実現され、巡回作業の拠点となるナースステーション等に設置される。ナースステーションには通信回線により経路生成ＰＣに接続された端末だけを設置してもよい。経路生成ＰＣとサーバＰＣは通信回線により接続されている。また、これらの１つのコンピュータで構成してもよい。経路生成手段３により形成された巡回経路のデータは、ロボット４０に無線で送信される。
【００２９】
移動ロボット４０は、自律走行して目的位置に達して停止した後、自律走行を開始するためのトリガ手段５を備えており、停止後に所定時間経過すると自律走行を開始することができる。このトリガ手段５は、停止後の経過時間を計測する時間計測手段５１を有し、この時間計測手段５１により計測した経過時間がデータベース１に登録された処置対象物に対応する位置における停止時間に達したとき走行開始信号を走行手段４に送信し、移動ロボット４０は、走行手段４が走行開始信号を受信すると自律走行を開始する。
【００３０】
データベース１は、処置対象物の属性データＤＢ２に関連する物品データＤＢ３をさらに有し、外部から入力された属性データを基にデータベース１を検索してこの属性データを持つ処置対象物に関連づけられた物品データを選択してこれを提示する物品データ提示手段６を備えている。物品データ提示手段６は、サーバＰＣにおいて実現され、その機能は、各通信端末や移動ロボット４０の制御コンピュータからも利用可能である。
【００３１】
また、移動ロボット４０は、物品搬送手段４１を備えており、従来、看護士が持っていたような荷物を行き先まで運んでくれる。このため、看護士は検査用具などを持って歩く煩わしさから解放され、検査作業に集中することが可能となる。また、複数の道具を一括して搬送可能なため、異なる検査を一回の巡回で行うことも可能である。さらに、移動ロボット４０は、巡回経路に沿って移動又は停止中に物品データＤＢ３に基づいて当面の処置対象物に関連する物品を提示又は取出し可能とする物品提示手段７を備えている。
【００３２】
移動ロボットシステム１０は、属性データＤＢ２としてデータベース１に登録された処理作業見積時間及び巡回経路から求めた走行時間に基づいて処理対象物を巡回する時刻を見積もる巡回時刻計算手段８と、巡回時刻計算手段８により見積もられた巡回時刻を巡回経路上の各地点における到達予測時刻として表示する巡回時刻表示手段８１とを備えている。また、巡回予定時刻が実作業時間の遅れによって巡回時刻計算手段８により見積もられた巡回時刻の設定条件から外れると予測される際に巡回経路を再生成する経路再生成手段３０を備えている。通常、この経路再生成手段３０は、経路生成手段３を共用して実現される。
【００３３】
次に、上述した機能が用いられる具体例を説明する。図３は、位置データ抽出結果の様子を示す。入院患者の電子カルテを含む全てのデータは、常に最新の情報としてサーバＰＣの記憶装置にデータベース１として保管され、コンピュータに接続された各端末から、作業者が、所定の閲覧権限のもとで閲覧可能となっている。看護士は、入院患者に対する検査内容（処置内容）を決定すると、その検査が必要な患者を絞り込むため、その検査内容を外部入力装置１１を介して位置データ抽出手段２と経路生成手段３を備えた経路生成ＰＣに入力する。例えば、大腸ガンの患者に対して血液検査を行うのであれば、電子カルテ情報ＴＢ１の中から、大腸ガンの患者のみのデータが位置データ抽出手段２によって検索され、図３に示すように、番号１，４，５，６の患者が抽出される。
【００３４】
上述の抽出された番号１，４，５，６の大腸ガン患者の部屋番号データ（位置データ）ＤＢ１が経路生成ＰＣのメモリ上にストアされる。この部屋番号データＤＢ１は、別のデータベースによって病院内の位置座標データと関連付けられている。当然、部屋番号データＤＢ１ではなく位置座標データをデータベース１内に記述することも可能である。治療行為が必要な患者を抽出すると、経路生成ＰＣはストアした部屋番号データＤＢ１の示すそれぞれの位置を少なくとも一度通過するように最適な経路を生成する。図４は、対象となるフロアの地図を示し、部屋番号とともに患者番号N1等が示されている。また、形成された巡回経路が、エレベータＥＶから、基準点Ｐ１，基準点Ｐ２、基準点Ｐ３を経由して、エレベータＥＶに戻る経路として示されている。
【００３５】
上述の最適経路が生成されると、巡回経路データは移動ロボット４０へと無線送信される。図４に示すような、移動ロボット４０が走行するフロアの病室配置、各病室の入り口などの基準点Ｐ１，Ｐ２，Ｐ３、走行路周辺の壁などの環境情報などのフロアデータがマップデータＭＰとして移動ロボット４０の記憶装置に記憶される。移動ロボット４０は、経路生成ＰＣから送られる最適巡回経路データをマップデータＭＰ上にマッピングして、その巡回経路に従って自律走行を行う。
【００３６】
次に、巡回作業に関連する物品の管理や準備に対する支援について、図５、図６を参照して説明する。病院における検査内容は事前に経路生成ＰＣに入力されるが、検査内容によって必要な器具は種々異なる。看護士が、経路生成ＰＣに外部入力装置１１を介して検査内容を入力すると、その入力信号は経路生成ＰＣに形成された物品データ提示手段６にも入力され、物品データ提示手段６によってその検査に必要な器具の一覧データがデータベース１から抽出される（図２参照）。その抽出された器具のデータは移動ロボット４０に送信され、図５に示すように、移動ロボット４０に附属している表示装置４２や図示しない発話装置によって表示や音声通知される。これにより作業者ＯＰは必要な検査器具を教示され、事前準備を確実にするように支援される。
【００３７】
看護士や医者などの作業者ＯＰは、表示装置４２に表示された指示に従って器具を用意し、移動ロボット４０の物品搬送手段（コンテナ）４１に搭載する。移動ロボット４０に器具を搭載する際には、各々の器具に取り付けられたＩＤタグやバーコードを移動ロボット４０側のリーダで認識させ、数量が必要数に満たない場合には移動ロボットが出発できないようにする。これにより作業のチェック機能が実現する。必要な器具の搭載が完了して準備が整った場合、物品データ提示手段６はトリガ手段５に移動開始信号を送信する（図２参照）。
【００３８】
器具類は移動ロボット４０のコンテナ４１内に格納されるが、コンテナ４１内は、図６に示すように、水平面内で回転するロータリ式の構造や、上下に棚が移動する回転棚などの構造をしており、内部で物品４１ａ〜４１ｄなどの順序を入れ替えることが可能となっている。このような構造にすることで、異なる検査が連続した場合においても、ある部屋で使用される器具や物品がその部屋での検査内容と確実に一致するようにできる。なお、上述の表示装置４２は、作業手順の案内や個人情報を画面に表示することができる。
【００３９】
次に、巡回スケジュール管理について、図７を参照して説明する。移動ロボット４０は、ある部屋での看護士の検査が終われば次の部屋へと移動を行う。移動ロボット４０には検査が終わって、移動を開始すべきことを知る手段が備わっている。この手段は、作業者ＯＰが移動ロボット４０に対して作業が終了したことを教示するための手段（図２に示す外部入力装置１２）であり、図７に示す押しボタン４３の他、指紋認証や音声認識による命令受付などで構成される。移動ロボット４０は、押しボタン４３が押されると、トリガ手段５は入力された信号を解釈して走行手段４へと信号を送り、移動ロボット４０は次の場所へと移動を開始する。
【００４０】
上述のトリガ手段５は、押しボタン４３による外部入力信号の他、自ら出発信号を発生する機能として、図２に示すように、時間計測手段５１を備えている。この時間計測手段５１は、タイマ手段を含み、移動ロボット４０が停止してから走行を開始するまでの時間を計測することができる。時間計測手段５１は、計測した経過時間がデータベース１に登録された処置対象物に対応する位置における停止時間に達したとき、上述の押しボタン４３に代わって、トリガ手段５に信号を入力する。
【００４１】
図８は、データベース１に登録された属性データＤＢ２に含まれる処理作業見積時間（作業時間見積データ）ＴＢ２の一例を示す。作業時間見積データＴＢ２は、各作業者による処置項目毎の作業時間からなる。移動ロボット４０は、ある地点での停止時間を、その地点で行われる作業内容によって判断する。判断の材料としてこの作業時間見積データＴＢ２が用いられる。停止時間は、作業時間見積データＴＢ２から抽出された作業時間である。ここで、抽出の意味は、各患者の処置内容と作業者を関連づけて作業時間を求めるという意味である。
【００４２】
作業時間見積データＴＢ２は、以下のようにして蓄積されたものである。難しい作業を行う場合は停止時間が長くなり、簡単な作業であれば短くなる。作業時間は作業内容によっても異なるが、作業者によっても異なる。予め移動ロボット４０と一緒に行動する作業者（看護士、医者）のリストがデータベース１上に登録されており、作業者ごとの作業時間が随時データベースにフィードバックされ、過去の実績データをもとに平均化された上で、作業時間見積データＴＤ２が蓄積されている。
【００４３】
次に、作業中の割り込み処理と巡回経路変更について説明する。図９は、変更された巡回経路を示す。移動ロボット４０に対し、移動中や作業中に割り込み処理を入れることが可能であり、急患が出た場合などには突然行き先を変更することができる。例えば、緊急のナースコールが入った場合、ナースコールした部屋の位置情報が移動ロボット４０に通知され、移動ロボット４０は、作業者に対してディスプレイに表示するなどしてナースコールがあった旨を通知し、ナースコールをした部屋へと緊急移動する。緊急移動先における作業が終了すれば移動ロボット４０は、巡回経路に再度復帰するが、突然呼ばれた先が巡回経路上にある患者の部屋であれば、再度その部屋を巡回する必要はない。この場合、図２に示すように、経路再生成手段３０が走行手段４からの情報をもとに巡回経路を再生成し、移動ロボット４０は、再生成された巡回経路に沿って移動する。
【００４４】
また、移動ロボット４０が移動したナースコール先の位置と、ナースコール前に作業をしていた位置が大きく離れている場合、再度もとの位置に戻ることは能率的でない。例えば、図９に示すように、基準点Ｐ１から、基準点Ｐ２、基準点Ｐ３へと移動中に、基準点Ｐ１を通過後に、ナースコールのあった基準点Ｐ３に移動した場合、ナースコールで呼び出された先の基準点Ｐ３の位置を基点として巡回経路を再生成する。これによってトータルの移動と作業の時間増が抑えられる。
【００４５】
次に、巡回経路生成時の重み付けを説明する。図１０は、重み付けデータを含むデータベースＴＢ３を示す。移動ロボット４０の巡回経路を生成する際、図１０に示すように、患者によっては都合の悪い時間８２があったり、検査内容によって巡回順の優先順位が高いものもあれば低いものもある。こういった細かい要望に対応するため、巡回経路生成時には重み付けを行うことができる。例えば、ある患者は午前中がダメなので巡回が午後になるように順番を後の方に回したり、別の患者の採血は、採血後２時間以内に検査しないといけないので検査部門の要請から順番を後ろの方にしたりといった、経路生成時の重み付けを行うことができる。
【００４６】
次に、巡回経路と巡回予定時刻について説明する。図１１は、巡回予定時刻の表示例を示す。データベース１は、図８により説明したように、巡回先で行う各作業の作業時間見積データＴＢ２を持っており、その作業時間見積データＴＢ２を用いると、何時ごろにどこの部屋へ到達可能かを計算することができる。この時間計算は、図２に示される巡回時刻計算手段８によって、処理作業見積時間（作業時間見積データＴＢ２）及び巡回経路から求めた走行時間に基づいて行われる。計算された巡回時刻は、各患者の部屋に設置されたディスプレイ（巡回時刻表示手段８１）に巡回予定時刻を含むマップデータＭＰとして表示される。そこで、各患者は、何時ごろ移動ロボット４０が検査に来るかという検査予定時刻を、ディスプレイを閲覧することによって知ることができる。
【００４７】
上述の、巡回時刻計算手段８により求めた巡回予定時刻は、巡回経路の見直しにも用いられる。ある患者について、処置を行うのに都合の悪い時間帯（禁止時間）が設定されており、他の部屋での検査が長引くなどして、移動ロボット４０の巡回予定時刻がその患者の禁止時間に掛かるときは、経路再生成手段３０によって巡回経路を再生成し、当該患者に対する処置を都合の良い時間に設定し直すことができる。
【００４８】
次に、巡回に対する空間的な禁止条件への対応について、図１２を参照して説明する。移動ロボット４０の巡回経路を生成する際に参照するデータベース１には、立入禁止区域を示すデータも含まれている。例えば、感染症患者の部屋や強い電磁場が発生している部屋など、移動ロボット４０が立ち入ることによって、なんらかの悪影響が発生する可能性のある部屋は立入禁止区域とされる。経路生成ＰＣがデータベース１から巡回経路を生成する際に、巡回経路がこれらの禁止領域を通る可能性があれば、禁止領域を避けるように巡回経路が再生成される。例えば、図１２に示すように、２０７号室が立入禁止の場合、基準点Ｐ３を避けて巡回経路が生成される。
【００４９】
次に、移動ロボットシステムの柔軟性について説明する。巡回作業中に移動ロボット４０が人間よりも遅く移動することが有り得るため、ある部屋で作業が終わって作業者が次の作業地点に行ったにもかかわらず移動ロボット４０が到着していない場合が発生する。このような場合に対応するため、移動ロボット４０に、自律走行を行う自動モードと、手押し台車のように作業者が押して動かせる手動モードとを切替える機能を設けておく。これにより、例えば、現在位置からあまり遠くない距離の部屋に移動して、すぐ作業を行いたいときに遅滞なく対応できる。
【００５０】
上述の手動モードで移動した場合に、移動ロボット４０は、位置認識用マーカやＩＤタグなどの手段によって目的とする部屋に到着したことを認識（自己位置認識）できる。ところで、手動モードの場合、移動ロボット４０が有する巡回経路の順番で部屋を巡回するとは限らず、看護士が独自の意図をもって巡回したていったため、移動ロボット４０の有する巡回経路から大きく外れることも有り得る。そこで、手動モードの際に、巡回した経路を把握して記憶するようにする。これにより手動モードから自動モードに戻った際に、記憶した経路をもとにして手動モードで巡回した場所を通らないように巡回経路を再生成することができる。
【００５１】
次に、データベース１の更新と巡回作業について、図１３、図１４を参照して説明する。個人情報を登録したデータベース１は、図２に示すデータ更新入力装置１３を介して外部から、時々刻々更新される。データベース１は、巡回中の作業者以外の看護士や医者からも随時更新されるので、データベース１の変更に伴い、その変化された属性に応じて巡回経路を適宜再生成することで、巡回の効率を上げることができる。例えば、検査の予定に上がっていた患者の容態が急変して突然亡くなったり、患者や担当医師に別の用事が入ってしまって検査予定時間に都合が悪くなったりした場合は、移動ロボット４０の巡回する経路からその患者の位置を外さなければいけない。
【００５２】
そこで、図１３に示すように、データベース１が外部入力１４により書き換えられて巡回経路に関わる属性が変わった場合、データベース１を有するサーバＰＣから経路生成手段３又は経路再生成手段３０を有する経路生成ＰＣへと経路再生成指令１５を送信する。経路生成ＰＣにおいて巡回経路が再生成され、そのデータは患者情報とともに経路情報１６として移動ロボット４０に送信される。このとき、巡回作業中の作業者の持つ携帯通信端末（ＰＤＡ）１７に対してもこれらの情報１７が送信される。これにより、データベース１を更新した者以外の、巡回中の作業者や他の作業者が更新情報を受け取ることができ、効率的な業務遂行が可能となる。
【００５３】
また、図１４に示すように、巡回作業中の移動ロボット４０と巡回作業者が、どの地点で誰に対して作業をしているのか、またどこへ向かって移動中なのかといったステータス情報８３が、随時、移動ロボット４０からデータベース１に書き戻される。これによって、ある患者の検査が終わったのかまだなのか、今進行中なのかどうか等が、巡回作業の現場以外においても把握することができる。
【００５４】
なお、本発明は、上記構成に限られることなく種々の変形が可能である。本移動ロボットシステムは、空間的に分布した複数の対象物を巡回して、各対象物に対して個別の処置を行う作業者を支援するシステムとして広く一般に適用可能である。上述のように厳しく処置内容を管理することが求められる医療現場の他、例えば、工場における設備点検、農業や漁業における生産現場や試験場における育成作業とデータ収集などのように処置内容や管理内容が時間的・個別的に変化する場合に本移動ロボットシステムが有効である。さらに一般に、重量物の搬送を含め、巡回する作業者の支援を行うため広く、本移動ロボットシステムが用いられる。
【図面の簡単な説明】
【００５５】
【図１】本発明の一実施形態に係る移動ロボットシステムの概要を説明する模式図。
【図２】同上移動ロボットシステムの構成とつながりを示すシステムブロック図。
【図３】同上移動ロボットシステムのデータベースからの位置データ抽出説明図。
【図４】同上移動ロボットシステムの有する地図と生成された巡回経路の説明図。
【図５】同上移動ロボットシステムの物品表示手段を説明する移動ロボットの図。
【図６】同上移動ロボットシステムの物品搬送手段と物品提示手段を説明図。
【図７】同上移動ロボットシステムのトリガ手段を説明する図。
【図８】同上移動ロボットシステムの有する作業時間見積データの説明図。
【図９】同上移動ロボットシステムの有する地図と再生成された巡回経路の説明図。
【図１０】同上移動ロボットシステムのデータベースの説明図。
【図１１】同上移動ロボットシステムの有する地図と巡回時刻と巡回経路の説明図。
【図１２】同上移動ロボットシステムの有する禁止領域の設定された地図と再生成された巡回経路の説明図。
【図１３】同上移動ロボットシステムにおける経路再生成時の動作説明図。
【図１４】同上移動ロボットシステムのデータベースの説明図。
【符号の説明】
【００５６】
１    データベース
２    位置データ抽出手段
３    経路生成手段
４    走行手段
５    トリガ手段
６    物品データ提示手段
７    物品提示手段
８    巡回時刻計算手段
１０    移動ロボットシステム
３０    経路再生成手段
４０    移動ロボット
５１    時間計測手段
８１    巡回時刻表示手段
ＤＢ１    位置データ（部屋番号データ）
ＤＢ２    属性データ
ＤＢ３    物品データ
【図１】
2005288628.tif 000003
【図２】
2005288628.tif 000004
【図３】
2005288628.tif 000005
【図４】
2005288628.tif 000006
【図５】
2005288628.tif 000007
【図６】
2005288628.tif 000008
【図７】
2005288628.tif 000009
【図８】
2005288628.tif 000010
【図９】
2005288628.tif 000011
【図１０】
2005288628.tif 000012
【図１１】
2005288628.tif 000013
【図１２】
2005288628.tif 000014
【図１３】
2005288628.tif 000015
【図１４】
2005288628.tif 000016